(57)【要約】      （修正有）【課題】フィルタの目詰まりを容易に解消できる泥水処理装置の提供。【解決手段】スラリータンク２、シリンダ３、ピストン４、凝集剤タンク５、フィルタ３２、フィルタ移動機構６、振動ふるい装置１０等から構成され、スラリータンク２で、シルト、粘土分を含んだ泥水（スラリー）と凝集剤タンク５からの凝集剤とが投入されて混合され、シリンダ３は、泥水処理装置１のスラリータンク２の下方に左右方向に延設されており、蓋部３１は垂直方向から水平方法に開閉可能な開閉扉であり、ピストン４は略正方形であり、略正方形の金属板を複数重ねてボルトで固定したものであり、ピストン４の周囲は可撓性を有する樹脂板から構成されており、フィルタ３２は、シリンダ３の左右方向に幅を有する連続した布製の帯であり、回動可能であり、フィルタ洗浄機構により洗浄される泥水処理装置１。【選択図】図１
2016140827.tif 000002
【特許請求の範囲】
【請求項１】
泥水と凝集剤が投入され混合されるスラリータンクと、
前記スラリータンクの下方に設けられたシリンダと、
前記スラリータンクと前記シリンダとを接続する接続部と、
前記接続部を開閉する接続部開閉手段と、
前記シリンダの一端部に設けられた蓋部と、
前記蓋部の内面側に設けられ前記泥水から水を通過させ泥を濾すフィルタと、
前記蓋部の内面側に設けられ前記フィルタを移動可能に支持するフィルタ支持部と、
前記フィルタを通過した水を外部に排出する排水口と、
前記フィルタを前記蓋部の内面に沿って移動させるフィルタ移動機構と、
前記シリンダ内において、前記フィルタと対向して往復移動するピストンと、
前記ピストンを往復移動させるピストン移動手段と
を備えたことを特徴とする泥水処理装置。
【請求項２】
前記フィルタ移動機構により前記フィルタ支持部の外側に移動した前記フィルタに対して、当該フィルタを洗浄する洗浄液を吐出するフィルタ洗浄機構を備えたことを特徴とする請求項１に記載の泥水処理装置。
【請求項３】
前記ピストンの周囲は、可撓性を有する部材から形成されていることを特徴とする請求項１又は２に記載の泥水処理装置。
【請求項４】
前記スラリータンクの上部には、網を振動させて網目より大きい固形物を除去する振動ふるい装置が設けられていることを特徴とする請求項１〜３の何れかに記載の泥水処理装置。
【請求項５】
前記蓋部を開閉する蓋部開閉機構を備えたことを特徴とする請求項１〜４の何れかに記載の泥水処理装置。
【請求項６】
前記スラリータンクに隣接して設けられ前記凝集剤を貯留する凝集剤タンクと、
前記凝集剤タンクから前記凝集剤を前記スラリータンクに供給する凝集剤供給手段と
を備えたことを特徴とする請求項１〜５の何れかに記載の泥水処理装置。
【発明の詳細な説明】
【技術分野】
【０００１】
本発明は、泥水処理装置に関し、詳細には、泥水に対してフィルタープレスを行い脱水しケーキを取り出す泥水処理装置に関する。
【背景技術】
【０００２】
従来、沈殿槽と、その沈殿槽の底部が長手方向中央部に連通しているシリンダ装置のシリンダ本体と、そのシリンダ本体内を往復運動するピストンと、そのピストンのピストンロッドとを備え、そのピストンは水を透過させるろ過体で構成され、前記ピストンロッドはロッド駆動装置に接続された脱水装置が知られている（例えば、特許文献１参照。）この脱水装置において、ピストンはシリンダ本体内を仕切った一方の領域の圧力が所定値よりも高くなると、水を透過するろ過膜（フィルタ）が設けられている。シリンダ本体の長手方向両端部はそれぞれ開閉可能な蓋本体を有する蓋部材が設けられている。その蓋部材はピストンロッドが通る中空ガイド部を備え、その中空ガイド部にはそれぞれ蓋部材をシリンダ本体の端部を開放し閉塞する蓋開閉機構が設けられている。ピストンロッドを駆動するロッド駆動装置には負荷センサが設けられ、その負荷センサから信号を受けて前記ロッド駆動装置および蓋開閉機構を制御する制御装置を備え、その制御装置は前記負荷センサが設定値より高くなったことを検知したときに、蓋部材を開放し、蓋体が開放した側にピストンが移動する所定時間が経過した後に、蓋部材を閉鎖する機能を有している。
【先行技術文献】
【特許文献】
【０００３】
【特許文献１】特許第５０３１１１８号公報
【発明の概要】
【発明が解決しようとする課題】
【０００４】
しかし、特許文献１に記載の脱水装置では、泥水がシリンダ内に入るので、ろ過膜（フィルタ）が泥で目詰まりし、ピストン内が高圧になり、シリンダの蓋部材が外れる虞があった。また、特許文献１に記載の脱水装置では、原液攪拌層には、石やコンクリート片を除去する装置が無い為、泥水に石やコンクリート片が入ったものは、処理できないという問題点があった。
【０００５】
本発明は、上記課題を解決するために成されたものであり、第一の目的は、フィルタの目詰まりを容易に解消できる泥水処理装置を提供することを目的とする。また、第二の目的は、ピストン内が高圧になった場合に圧を逃がすことの出来る泥水処理装置を提供することを目的とする。また、本発明の第三の目的は、石やコンクリート片が交じった泥水も処理できる泥水処理装置を提供することを目的とする。
【課題を解決するための手段】
【０００６】
上記目的を達成するために、請求項１に記載の泥水処理装置は、泥水と凝集剤が投入され混合されるスラリータンクと、前記スラリータンクの下方に設けられたシリンダと、前記スラリータンクと前記シリンダとを接続する接続部と、前記接続部を開閉する接続部開閉手段と、前記シリンダの一端部に設けられた蓋部と、前記蓋部の内面側に設けられ前記泥水から水を通過させ泥を濾すフィルタと、前記蓋部の内面側に設けられ前記フィルタを移動可能に支持するフィルタ支持部と、前記フィルタを通過した水を外部に排出する排水口と、前記フィルタを前記蓋部の内面に沿って移動させるフィルタ移動機構と、前記シリンダ内において、前記フィルタと対向して往復移動するピストンと、前記ピストンを往復移動させるピストン移動手段とを備えたことを特徴とする。
【０００７】
この構成の泥水処理装置では、蓋部の内面側に設けられたフィルタ支持部により支持されたフィルタをフィルタ移動機構により、容易に移動させて新しいフィルタにすることができる。従って、フィルタの目詰まりを容易に防止できる。
【０００８】
請求項２に記載の泥水処理装置は、請求項１に記載の発明の構成に加え、前記フィルタ移動機構により前記フィルタ支持部の外側に移動した前記フィルタに対して、当該フィルタを洗浄する洗浄液を吐出するフィルタ洗浄機構を備えたことを特徴とする。この構成の泥水処理装置では、請求項１に記載の発明の効果に加え、フィルタ洗浄機構からフィルタに洗浄液を吐出するので、フィルタから泥を落として再利用できる。
【０００９】
請求項３に記載の泥水処理装置は、請求項１又は２に記載の発明の構成に加え、前記ピストンの周囲は、可撓性を有する部材から形成されていることを特徴とする。この構成の泥水処理装置では、請求項１又は２に記載の発明の効果に加え、フィルタの目詰まり等によりシリンダ内の圧力が高まりすぎた場合には、ピストンの周囲が撓んで、シリンダとピストンの間に隙間が出来、圧力を逃がすことができる。
【００１０】
請求項４に記載の泥水処理装置は、請求項１〜３の何れかに記載の発明の構成に加え、前記スラリータンクの上部には、網を振動させて網目より大きい固形物を除去する振動ふるい装置が設けられていることを特徴とする。この構成の泥水処理装置では、請求項１〜３の何れかに記載の発明の効果に加え、振動ふるい装置が網を振動させて網目より大きい固形物を除去することができる。従って、スラリータンク及びシリンダ内に、石やコンクリート片等の固形物が入ることを防止できる。
【００１１】
請求項５に記載の泥水処理装置は、請求項１〜４の何れかに記載の発明の構成に加え、前記蓋部を開閉する蓋部開閉機構を備えたことを特徴とする。この構成の泥水処理装置では、請求項１〜４の何れかに記載の発明の効果に加え、蓋部開閉機構により容易にシリンダの蓋部を開閉できる。
【００１２】
請求項６に記載の泥水処理装置は、請求項１〜５の何れかに記載の発明の構成に加え、前記スラリータンクに隣接して設けられ前記凝集剤を貯留する凝集剤タンクと、前記凝集剤タンクから前記凝集剤を前記スラリータンクに供給する凝集剤供給手段とを備えたことを特徴とする。この構成の泥水処理装置では、請求項１〜５の何れかに記載の発明の効果に加え、凝集剤タンクから凝集剤を凝集剤供給手段により容易にスラリータンクに供給できる。
【図面の簡単な説明】
【００１３】
【図１】泥水処理装置１の正面図である。
【図２】泥水処理装置１の平面図である。
【図３】泥水処理装置１の右側面図である。
【図４】泥水処理装置１の左側面図である。
【図５】泥水処理装置１の蓋部３１が閉じた状態を示す正面図である。
【図６】泥水処理装置１の蓋部３１が開いた状態を示す正面図である。
【図７】ロック機構６０の拡大図である。
【図８】ピストン４の拡大正面図である。
【図９】フィルタ洗浄機構３６の図である。
【図１０】泥水処理装置１の変形例の正面図である。
【発明を実施するための形態】
【００１４】
以下、本発明の一実施の形態である泥水処理装置１について、図面を参照して説明する。泥水処理装置１は、シルト、粘土分を含んだ泥水（スラリー）に、凝集剤を混入してフロックを形成し、当該フロックを加圧脱水（フィルタープレス）して、脱水ケーキを生成する。この脱水ケーキは乾燥されて乾燥煉瓦となる。
【００１５】
＜泥水処理装置１の構造＞
以下、図１乃至図９を参照して、泥水処理装置１の構造の詳細を説明する。まず、図１及び図２を参照して、泥水処理装置１の全体構成を説明する。この泥水処理装置１は、少なくとも、スラリータンク２、シリンダ３、ピストン４、凝集剤タンク５、フィルタ３２、フィルタ移動機構６、油圧ポンプ７、発電機８、振動ふるい装置１０等から構成される。発電機８は、後述する各モータに電力を供給する。尚、図１では、図の上・下・左・右を泥水処理装置１の上・下・前・後という。
【００１６】
＜スラリータンク２の構造＞
図１及び図２に示すように、スラリータンク２は、シルト、粘土分を含んだ泥水（スラリー）と凝集剤が投入されて混合されるタンクであり、円筒形の側壁２１及び平面視円形の底板２２を備え、上方は開放されている。スラリータンク２内には、攪拌羽２４，２４を一対備えた攪拌装置２３が回転可能に設けられている。スラリータンク２の下部には、攪拌装置２３をチェーン２６により駆動するモータ２５が設けられている。スラリータンク２の底板２２には、シリンダ３への接続部として、略矩形の開口部２２Ａと、開口部２２Ａを開閉する為に底板２２に対して水平に移動する開閉扉２２Ｂが設けられている。開閉扉２２Ｂは手動、又は、油圧シリンダ（図示外）により開閉されるようになっている。また、図２に示すように、スラリータンク２の左側面側には、梯子１００が設けられている。
【００１７】
＜振動ふるい装置１０の構造＞
図１及び図２に示すように、スラリータンク２の上部には、周知の振動ふるい装置１０が設けられている。振動ふるい装置１０は分離金網１０Ａ及び分離金網１０Ａの下面に一部に取り付けられた振動モータ（図示外）を備えた装置である。振動ふるい装置１０の分離金網１０Ａは、水平に設けられている。図示外の振動モータの振動により分離金網１０Ａが振動する。この振動ふるい装置１０は、分離金網１０Ａの網目より小さいシルト、粘土分等を含んだ泥水を通過させ、分離金網１０Ａの網目より大きい石、コンクリート片等を分離する。
【００１８】
＜凝集剤タンク５の構造＞
図１及び図２に示すように、スラリータンク２の前側（左側）に隣接して凝集剤タンク５が設けられている。凝集剤タンク５には、粘土分を含んだ泥水（スラリー）に、混入されてフロックを形成する凝集剤が貯留される。凝集剤の一例としては、例えば、無機系凝集剤が用いられる。無機系凝集剤の一例としては、人工ゼオライトの主成分とした凝集剤が用いられる。例えば、センカ株式会社のサブサイダー２５０（商品名）を用いることができる。図１及び図２に示すように、凝集剤タンク５は、円筒形の側壁５１及び平面視円形の底板５２を備え、上方が開放されている。凝集剤タンク５内には、攪拌羽５４，５４を一対備えた攪拌装置５３が回転可能に設けられている。スラリータンク２の下部には、攪拌装置５３をチェーン５６により駆動するモータ５５が設けられている。また、図１に示すように、凝集剤タンク５には、凝集剤タンク５からスラリータンク２に凝集剤を送る凝集剤パイプ５７が設けられている。凝集剤パイプ５７の下部には、水中ポンプ５７Ａが設けられている。
【００１９】
＜シリンダ３の構造＞
図１に示すように、シリンダ３は、泥水処理装置１のスラリータンク２の下方に、図１に於ける左右方向に延設されている。シリンダ３は、横断面（シリンダ３の長手方向及び図１の紙面に垂直な断面）が、図３に示すように略正方形の角筒に形成されている。図１に示すように、シリンダ３前端部（左端部）には、シリンダ３の前端部（左端部）を塞ぐ、蓋部３１が設けられている。蓋部３１は、軸支部４０を支点にして垂直状態から水平方法に開閉可能な開閉扉である。また、図１に示すように、蓋部３１の後側（シリンダ３側）には、フィルタ３２を支えるフィルタ支持網３１Ａが設けられている。フィルタ支持網３１Ａは、金属製の金網から構成され、シリンダ３の内部の横断面（図１の紙面に垂直な断面）よりは小さい略四角形に形成されている。フィルタ３２はフィルタ支持網３１Ａに沿って移動可能である。尚、シリンダ３の下方には、排水タンク９０，９３が設けられ、排水タンク９３からは、排水タンク９０に向けて、上澄み液を還流するパイプ９８が接続されている。
【００２０】
＜シリンダ３の蓋部３１の構造＞
図１、図５及び図６を参照して、蓋部３１の構造を説明する。蓋部３１は、軸支部４０に軸支されて、図１及び図５に示す垂直方向と図６に示す水平方向との間で開閉可能になっている。蓋部３１は、蓋部開閉機構４１により開閉される。蓋部開閉機構４１は、巻き上げモータ４３と巻き上げモータ４３を支持する支持腕４２と巻き上げワイヤ４６等により構成される。支持腕４２は垂直フレーム３０から水平に前方（左方）に延設されている。支持腕４２の先端側（前側）には、巻き上げモータ４３が固定されている。巻き上げモータ４３の回転軸４４には、プーリ４５が固定されている。プーリ４５は巻き上げワイヤ４６を巻き上げる。巻き上げワイヤ４６の下端部は、蓋部３１の側端部の真ん中やや下に設けられた突起４７に固定されている。蓋部３１はロック機構６０によりロックされる。ロック機構６０の詳細は後述する。ロック機構６０が解除された状態で巻き上げモータ４３が駆動され回転軸４４が反時計回りに回転すると、プーリ４５が反時計回りに回転する。プーリ４５が巻き上げワイヤ４６を巻き上げると、蓋部３１は、図５に示す垂直状態から図６に示す水平状態に開き、シリンダ３の前端部（左端部）が開放される。尚、図２に示すように、巻き上げモータ４３の後部（左側）から延設する回転軸４４にもプーリ４５が設けられ、蓋部３１の左側面にも突起４７及びロック機構６０が設けられている。従って、蓋部開閉機構４１及びロック機構６０は、蓋部３１の左右両側端部に対応して一対設けられている。尚、図２では、ロック機構６０の図示は省略している。
【００２１】
＜ロック機構６０の構造＞
次に、図７を参照して、ロック機構６０の構造を説明する。ロック機構６０は油圧シリンダ６２と、フック６３等から構成される。油圧シリンダ６２は、泥水処理装置１の図示しないフレームに固定された軸部６１に回転可能に支持されている。油圧シリンダ６２は図示外の油圧ポンプにより駆動される。油圧シリンダ６２の先端部６２Ａには、フック６３が固定されている。フック６３は下方に開口したコの字形状に形成されている。フック６３には、蓋部３１の側端部に設けられた円柱状の突起４８に係合する係合部６３Ａが設けられている。フック６３の先端部の下端部には、自由回転するプーリ６３Ｂが設けられている。フック６３は油圧シリンダ６２により、前後方向に退出可能になっている。油圧シリンダ６２には、支持板６５が軸部６４により回転可能に支持されている。軸部６４には、弦巻ばね６４Ａが設けられ、弦巻ばね６４Ａの上端部は、油圧シリンダ６２上のばね止め突起６４Ｂに係止され、弦巻ばね６４Ａの上端部は、支持板６５上のばね止め突起６４Ｃに係止され、支持板６５を反時計回りに付勢する。支持板６５の前側（左側）には、係止板６６が設けられ、泥水処理装置１の図示しないフレームに固定された軸部６８に当接し、支持板６５が軸部６８から後方向（右方向）に外れないように規制する。
【００２２】
図７に示すように、油圧シリンダ６２の駆動により先端部６２Ａが前方向（左方向）に移動し、巻き上げモータ４３の駆動により巻き上げワイヤ４６がプーリ４５に巻き上げられると、巻き上げワイヤ４６がプーリ６３Ｂを押し上げ、ロック機構６０が持ち上げられて、フック６３が突起４８から外れる。このときに、支持板６５が弦巻ばね６４Ａの付勢力により、支持板６５が反時計回りに回転し、支持板６５の下端部が軸部６８に係止されてロック機構６０のフック６３が下方に落ちるのを防止する。ロック機構６０により蓋部３１をロックする場合には、巻き上げモータ４３を時計回りに駆動し、プーリ４５を時計回りに回して、巻き上げワイヤ４６を緩めて、蓋部３１を図５に示す垂直状態にする。次いで、図７に示す支持板６５に設けられているつまみ部６７を前方向に手で押して、支持板６５を時計回り方向に回転すると、図７に破線で示すように、支持板６５の下端部の軸部６８による支持が解除される。ロック機構６０は自重により、軸部６１を中心に反時計回りに回転して、フック６３が突起４８に係合する。油圧シリンダ６２の油を減らすように油圧ポンプを駆動すると、フック６３が後方向（右方向）に移動して、フック６３の係合部６３Ａが突起４８に係合して、蓋部３１がロックされる。
【００２３】
＜ピストン４の構造＞
次に、図１及び図８を参照して、ピストン４の構造を説明する。ピストン４は、前側（図１の左側）から見ると、略正方形であり、図８に示すように、略正方形の金属板１４１からなる前端部と、略正方形の金属板１４２を複数枚重ねてボルト１４４で固定したものである。金属板１４２の間のボルト１４４には、筒状のスペーサ１４５が設けられている。図８では、金属板１４２は、一例として５枚である。金属板１４２の間には、可撓性を有する樹脂板１４６が挟み込まれている。この可撓性を有する樹脂板１４６は、一例としてシリコン樹脂の板材である。例えば、ピストン４の筒内の１辺が１ｍ×１ｍで有る場合には、ピストン４を構成する金属板１４２は、１辺が９６ｃｍ×９６ｃｍで厚みが１２ｍｍであり、金属板は５枚重ねられている。金属板からは周囲に可撓性を有する樹脂板１４６が一例として２ｃｍはみ出して、シリンダ３の壁面１０３との密閉性が担保される。従って、ピストン４の周囲は可撓性を有する樹脂から構成されている。ピストン４は、基部１４０に油圧シリンダ７１の軸７２が固定され、油圧ポンプ７の油圧により、前後方向に往復移動される。
【００２４】
＜フィルタ３２の構造＞
フィルタ３２は、図４に示すシリンダ３の左右方向に幅を有する連続した布製の帯であり、シルトや粘土分を透過させず、水は透過させる目のフィルタである。フィルタ３２は、図１及び図５に示す供給ローラ３４Ｃに巻回されており、図５に示すように、案内ローラ３４Ｅに案内され、フィルタ支持網３１Ａのシリンダ３側（右側）を通り、案内ローラ３４ＦでＵターンしてフィルタ支持網３１Ａの前側（左側）を通り、案内ローラ３４Ｇ，３４Ｈに案内され、巻き取りローラ３４Ｄに巻き取られる。
【００２５】
＜フィルタ移動機構６の構造＞
次に、フィルタ移動機構６について説明する。図１及び図５に示すように、フィルタ移動機構６は、フィルタモータ３４Ａ、供給ローラ３４Ｃ、巻き取りローラ３４Ｄ、案内ローラ３４Ｅ，３４Ｆ，３４Ｇ，３４Ｈから構成される。図１及び図５に示すように、供給ローラ３４Ｃ及び巻き取りローラ３４Ｄは、凝集剤タンク５の左側の垂直フレーム３０に上下２段に保持される。図５に示すように、フィルタモータ３４Ａは、凝集剤タンク５の近傍の垂直フレーム３０に設けられている。フィルタモータ３４Ａの軸にはプーリ３４Ｂが設けられ、プーリ３４Ｂと供給ローラ３４Ｃ、巻き取りローラ３４Ｄには、駆動ベルト３４Ｉが張り渡されている。蓋部３１の中間部には、案内ローラ３４Ｅが設けられ、蓋部３１の下部には、案内ローラ３４Ｆが設けられ、蓋部３１の中間部の外側には、案内ローラ３４Ｇが設けられている。案内ローラ３４Ｅの上方には、案内ローラ３４Ｈが設けられている。フィルタ３２は、フィルタモータ３４Ａの駆動により、供給ローラ３４Ｃから引き出され、案内ローラ３４Ｅ，３４Ｆ，３４Ｇ，３４Ｈにより案内されて、巻き取りローラ３４Ｄに巻き取られる。案内ローラ３４Ｅと，案内ローラ３４Ｆとの間が、シリンダ３内に入る。
【００２６】
＜フィルタ洗浄機構３６の構造＞
次に、図１、図５及び図９を参照してフィルタ洗浄機構３６の構造を説明する。図９に示すように、フィルタ洗浄機構３６は、蓋部３１内に設けられ、垂直に設けれらた一対の散水パイプ９４Ａ，９４Ａと、散水パイプ９４Ａに接続され、水平に設けられた４本の散水パイプ９４Ｂと、散水パイプ９４Ａ，９４Ａに平行に設けられ空気を噴射するエアパイプ９５，９５から構成される。散水パイプ９４Ａ及び散水パイプ９４Ｂには、水を噴射する孔９６が複数形成されている。また、エアパイプ９５にも空気を噴射する孔９５Ａが複数形成されている。図５に示すように、散水パイプ９４Ａはパイプ９４に接続され、排水タンク９０から水中ポンプ９１によりくみ上げた水が供給される。また、エアパイプ９５には図示しないエアポンプから圧縮空域が供給される。フィルタ洗浄機構３６は、フィルタ支持網３１Ａの外側（前側）を通過するフィルタ３２対して、水と圧縮空気を吹き付けてフィルタ３２を洗浄する。図５に示すように、蓋部３１の前側（左側）には、蓋部３１の前側及び下部を覆うカバー３１Ｂが設けられ、カバー３１Ｂの下部は排水を受ける樋形状になっており排水口３５が形成されている。
【００２７】
＜泥水処理装置１の動作＞
次に、上記構造の泥水処理装置１の動作について説明する。図１に示すように、スラリータンク２の開口部２２Ａが開閉扉２２Ｂにより閉鎖された状態で、振動ふるい装置１０の分離金網１０Ａの網目を通過した、シルト、粘土分等を含んだ泥水（スラリー）が、スラリータンク２に既定量投入される。凝集剤タンク５から凝集剤が水中ポンプ５７Ａにより凝集剤パイプ５７を介して、スラリータンク２に既定量投入される。攪拌装置２３の攪拌羽２４により、凝集剤が泥水（スラリー）に攪拌混合される。次いで、ピストン４を後方（右方）に下げた状態で、開閉扉２２Ｂを開いて、シリンダ３内に、凝集剤が混合された泥水（スラリー）が注入される。次いで、開閉扉２２Ｂを閉じて、油圧ポンプ７の油圧により、ピストン４は、前方（左方）の蓋部３１方向に移動して、泥水（スラリー）を圧縮する。
【００２８】
泥水（スラリー）の水分は、フィルタ３２及びフィルタ支持網３１Ａを通過して、脱水される。蓋部３１側からの排水は、排水口３５から排水受け９２Ｂ、排水パイプ９２を介して、排水タンク９０に集められる。排水パイプ９２は塩化ビニール等のパイプから形成され、先端部９２Ａには、樋状の排水受け９２Ｂが固定され、蓋部３１の下部の排水口３５からの排水を受ける。シリンダ３の後側（右側）からの排水は、排水パイプ９７を介して、排水タンク９３に集められる。泥水（スラリー）には、フロックを形成する凝集剤が混合されているので、シリンダ３の蓋部３１とピストン４との間には、ブロック状のフロックの塊が形成される。ロック機構６０のロックを解除して、巻き上げモータ４３の駆動により蓋部３１を図２に示す水平状態に解放して、ブロック状のケーキを取り出す。従って、泥水処理装置１は、泥水に対してフィルタープレスを行い脱水しケーキを取り出すことができる。
【００２９】
本実施の形態の泥水処理装置１によれば、フィルタ３２は、フィルタ移動機構６により一定量送られ、フィルタ洗浄機構３６からの散水と圧縮空気により洗浄される。フィルタ洗浄機構３６によるフィルタ３２の洗浄は、使用者の判断により、図示しない操作パネルを操作して行われる。従って、フィルタ３２から泥を落として再利用できる。フィルタ３２の目詰まり等によりシリンダ内の圧力が高まりすぎた場合には、ピストン４の周囲が撓んで、シリンダ３とピストン４の間に隙間が出来、圧力を逃がすことができる。また、振動ふるい装置１０が分離金網１０Ａを振動させて網目より大きい固形物を除去することができる。従って、スラリータンク２及びシリンダ３内に、石やコンクリート片等の固形物が入ることを防止できる。また、蓋部開閉機構４１により容易にシリンダ３の蓋部３１を容易に開閉できるので、ケーキの取り出しが容易である。
【００３０】
尚、開口部２２Ａが、本発明の「接続部」の一例である。開閉扉２２Ｂが、本発明の「接続部開閉手段」の一例である。フィルタ支持網３１Ａが本発明の「フィルタ支持部」の一例である。油圧ポンプ７及び油圧シリンダ７１が本発明の「ピストン移動手段」の一例である。凝集剤パイプ５７及び水中ポンプ５７Ａが「凝集剤供給手段」の一例である。
【００３１】
尚、本発明は、上記実施の形態に限られず、各種の変形が可能である。例えば、振動ふるい装置１０は必ずしも設けなくても良い。また、図１０に示すように、泥水処理装置１の下部にクローラ９を設けてもよい。この場合には、排水タンク９０，９３は、着脱式にして、使用時に図１０に示すように装着しても良い。
【符号の説明】
【００３２】
１      泥水処理装置
２      スラリータンク
３      シリンダ
４      ピストン
５      凝集剤タンク
６      フィルタ移動機構
７      油圧ポンプ
９      クローラ
１０    振動ふるい装置
１０Ａ  分離金網
３１    蓋部
３１Ａ  フィルタ支持網
３２    フィルタ
３６    フィルタ洗浄機構
４１    蓋部開閉機構
６０    ロック機構
９０    排水タンク
９３    排水タンク
９４    排水パイプ
【図１】
2016140827.tif 000003
【図２】
2016140827.tif 000004
【図３】
2016140827.tif 000005
【図４】
2016140827.tif 000006
【図５】
2016140827.tif 000007
【図６】
2016140827.tif 000008
【図７】
2016140827.tif 000009
【図８】
2016140827.tif 000010
【図９】
2016140827.tif 000011
【図１０】
2016140827.tif 000012